(57)【要約】【課題】乾いた洗濯物を干したままで容易に次の洗濯物を干すことができる洗濯物干し具を提供する。【解決手段】洗濯物干し具のフレームにレールを設け、ランナーを有したピンチを滑らせて自由にレール上を移動できるようにした。乾いたままの洗濯物は干しっぱなしで片端にまとめておき、残りの広い場所で新たに洗濯物を広げて干すことができる。家事負担が軽減する。【選択図】図１
2011139879.tif 000002
【特許請求の範囲】
【請求項１】
フレームの一部または全部が周回レールで構成され、該周回レールの長さ方向全長にわたってスライド可能に係合される複数個のピンチを備えていることを特徴とする洗濯物干し具。
【請求項２】
フレームの一部または全部を構成するレールと、該レールに対して長さ方向にスライド可能な複数個のピンチとを備え、該レールには該ピンチをスライド可能に係合する分岐レールを設けてある事を特徴とする洗濯物干し具。
【請求項３】
前記レールの一部または全部には、前記ピンチのスライドを制動する為の制動機構を設けてある事を特徴とする請求項１記載の洗濯物干し具。
【請求項４】
前記レール及び分岐レールの一部または全部には、前記ピンチのスライドを制動する為の制動機構を設けてある事を特徴とする請求項２記載の洗濯物干し具。
【請求項５】
前記周回レール及び分岐レールはレール溝を有し前記制動機構は該レール溝内に突出するブラシ構造を含む事を特徴とすることを特徴とする請求項３、４のいずれかに記載の洗濯物干し具。
【請求項６】
前記制動機構には磁石を用いる事を特徴とする請求項３、４、５記載の洗濯物干し具。
【請求項７】
隣接する前記ピンチ間を伸縮する連結部材を備える事を特徴とする請求項１〜６のいずれかに記載の洗濯物干し具。
【発明の詳細な説明】
【技術分野】
【０００１】  この発明は洗濯物干し具に関する。
【背景技術】
【０００２】  洗濯物干し具として、構造を支えるフレームと洗濯竿などに吊すフック８などにより構成され、その適宜の位置に洗濯物を挟む為のピンチ４が配された干し具が一般に用いられている。ピンチ４はフレームに鎖あるいは樹脂紐などを介して揺動可能に連結されていて、一般にはピンチ４の位置を変えることはできない。
後述する特許文献１〜３はいずれもピンチ４がレール３の長さ方向にスライド可能に係合されているが、多少の間隔調整は行えるもののピンチ４の位置をスライド移動によって互いに入れ替える事はできないので洗濯物を大きく移動させるにはピンチ４を洗濯物から一旦外して付け替えなくてはならない。
特許文献１には平行に配された枠骨に一部スライド可能にピンチ４を係合させる発明が登録されている。ここではピンチ４の位置は洗濯物の幅に対応する範囲での移動が可能であるが範囲が限定的であり、干す幅を広げたり狭めたりする為のものである。
特許文献２にピンチ４がレール３上をスライドしできる干し具が記載されている。フレームのほぼ全域にわたってレール３が施されているがレール３は分断されており個々のピンチ４はそれぞれが属するレール３の狭い範囲でしか移動できない。洗濯物を大きさや種類に応じて乾き易く効率よく干すという目的はある程度は満たさレール３がピンチ４に挟持したまま洗濯物の配置を大幅に替えることはできない構造になっている。
特許文献３の洗濯物干し具ではフレームの側面にレールが設けられていて外周部のレールについては大きく洗濯物を動かす事が可能である。しかしピンチ４ごとスライドさせた後にできた空間にはその分のピンチ４が残らないのでその位置に洗濯物を干す事はできない。従ってピンチ４の可動範囲は狭くはないものの、特許文献２と同様洗濯物を挟持したままでは洗濯物の位置を大きく入れ替えることはできない。
【先行技術文献】
【０００３】
【特許文献１】  特開平１０−０８０５９７号公報
【特許文献２】  特開２００５−１３７８４０公報
【特許文献３】  公開実用平成２−１１２２８９公報
【発明の概要】
【発明が解決しようとする課題】
【０００４】  従来の洗濯物干し具においては一度干した洗濯物を大きく移動させる事がとても面倒であった。また移動させた後の空間を有効利用する事は更に困難であった。従来の洗濯物干し具では一般にピンチ４の位置が固定されている為、前記の作業を行うには洗濯物を吊り下げているピンチ４を一旦外して新たな位置にあるピンチ４に付け替えなくてはならなかった。
干してあった洗濯物が乾いたら普通は取り込み、畳み、片付ける。そして空になった干し具に次の洗濯物を干す。しかし時間がなくて、乾いたまま干しっぱなしの洗濯物があるのに次に洗い上がった洗濯物を干したい時もある。干してあった方の洗濯物を急いで洗濯カゴなどに取りこんで放っておくとシワになりやすいので、無理に取り込むよりは吊したままの方が望ましい。しかし濡れたものと接触すると再び湿ってしまうから、乾いた洗濯物は濡れた洗濯物と離れた位置に移動させなくてはならない。この移動が従来の物では一々ピンチ４を着け外ししなくてはならず大変面倒な作業であった。
また、干したもののまだ少し湿っている洗濯物が残っている場合も同様で、次に洗い上がった洗濯物があってもすぐに干す事が出来ないので不便であった。これも先に干した方を簡単に緩く片寄せておきたいが、そのための作業は面倒であった。
結果、既に干した洗濯物の確認や片付けを怠ると洗濯物が洗い上がってから慌てて面倒な作業しなくてはならなかった。またその為に、洗濯が出かける時のネックになる事もしばしばあった。【０００５】  洗濯物を吊す時、洗濯物干し具の中程に大きい物を干し、端の方に靴下などの小物を干す事が多い。こうすると乾き易く洗濯もの干し具のバランスも崩れないのである。バランスよく干す為には洗濯物干し具の周囲をウロウロしながら一つずつ干していくしかなく、姿勢に無理があったり時間がかかったりした。
このように気を配って干していても途中まで干してから洗濯かごの底から重い洗濯物が出てきたり思ったより洗濯物の量が多かったりといった事が毎度の様に起こり、洗濯物の配置や間隔を調整する為に干し替える事は多い。この干し替え作業は当然ピンチ４を付け替えなくてはならず大変面倒であった。これを避けたいが為、洗濯物を洗濯機からカゴに移し替えるに時も干す順序を考えて入れたり２つのカゴに分けたりと工夫と労力が余分にかかったがそれでも十分ではなかった。【０００６】  狭い部屋の中に洗濯物干し具を吊るしている場合、干し具全体が空間的にかさ高く邪魔に感じる。洗濯物が全体に濡れている間は仕方がないが、ある程度乾いてきたら洗濯物干し具全体をコンパクトにまとめたい。従来はこれが大変面倒であった。【０００７】  一人暮らしの多くの人は家事に慣れない上にそもそも衣類を収納する場所が少ないといった現状がある為、吊り下げられた洗濯物を収納せずにそのまま使う事は理にかなっている。すぐまた使う靴下などを取り込んで畳んで収納するといった３つのステップは無駄な作業である。しかし、洗濯物を干しっぱなしにしておけたらこの無駄を省くことができる。従来の洗濯物干し具には衣類を保管する機能がなかったが、干しっぱなしでも次の洗濯物を干せるなら洗濯物干し具が保管機能を備えた事になる。【０００８】  前述の理由により本発明の課題は、干した後の洗濯物を挟んだままでピンチ４を洗濯干し具内の自在の位置に簡単に移動させる事が可能で、かつ移動によりできた空間に空のピンチ４ｅを簡単に移動させることができ、ピンチ４の順序を変えることにより空のピンチ４ｅを任意の位置に集めることができ全てのピンチ４を有効に使える洗濯物干し具を提供することである。
【課題を解決するための手段】
【０００９】  この課題を解決するために、本発明ではフレーム１にレール３を設け、該レール３にスライド可能にピンチ４を係合させ、該レール３上をピンチ４が周回できる様にする。カーテンレール上をカーテンが動く如くに洗濯物を挟持したピンチ４はレール３上のループを自由にスライドできる。
既に乾いた洗濯物が干しっぱなしにされている時、それらを例えば使用者から見て遠い方へ押しやり遠くにあった空のピンチ４ｅを手前に移動させると新たな洗濯物を干すことができる。ピンチ４をレール３から取り外す事なく、レール３上をスライドさせてこれらのピンチ４を移動させる。実用に耐える為にはピンチ４がレール３上で大きく移動可能で、更に洗濯物を取り外した後の空のピンチ４が例えば手前側に戻ってこなくてはならないのでピンチ４が周回できる事すなわち、ある箇所にあるピンチ４を周回レール３ｃに沿って一回りさせてその箇所に戻せることが必要である。【００１０】  さらに、前記レール３からレール３を分岐させる事が好ましい。分岐させたレール３を分岐レール３ｂ、分岐の元となるレール３を本体レール３、両者の区別が不要なときには単にレール３と呼ぶこととする。また退避だけが目的で設けられた分岐レール３ｂを退避レール３ｔと呼ぶこととする。分岐レール３ｂや退避レール３ｔが周回レール３ｃでもある事も多く、これらレール３の呼称全てはその時々の位置関係や目的により必要に応じて呼び分ける。例えば（図３−ｂ）のハッチング部分周囲のレール３は周回レール３ｃでありかつ分岐レール３ｂでもある例である。本体レールと分岐レール３ｂの分岐点をレール３からピンチ４を取り外すことなくピンチ４が自在にスライド可能に形成しここでは双方向に行き来できる事が基本であるが、一方通行で分岐レール３ｂに入ったピンチ４が分岐レール３ｂの他端から本体レールに戻る形式でもよい
分岐レール３ｂを設けた場合には歯抜け状態になっている洗濯物の間にある空のピンチ４ｅだけを分岐レール３ｂに待避させ、洗濯物を挟持したピンチ４ｆを例えば奥の本体レール３へ全て押しやってから空のピンチ４ｅを例えば手前側本体レール３に集めることにより新たな洗濯物に利用することができる。こうなれば次々と干したり使ったりしながら洗濯物を干しっぱなしにしたまま生活できる。【００１１】  前記レール３とピンチ４の係合部分には制動機構を設け、風や本体の傾きなどによるピンチ４の動きを妨げピンチ４を使用者の希望の位置に係止可能とする。
この場合の制動機構とは、外さない限り完全に固定されるような堅牢なロックから、摩擦抵抗を高めたり所定の位置に引きつけられたりというようにピンチ４の移動を制御したり妨げたりするゆるいロックまでが含まれ、例えば磁石やバネ突起物、レール溝６の凹凸、面テープ、ブラシ２など全てを指す。いずれも意図して力を加えた場合には移動を許す構造すなわち解除可能な構造である。
前記ピンチ４はそれぞれ独立して移動できるが、使用状況によっては隣接するピンチ４間の距離を一定にできる事が必要な場合もある。ピンチ４間を連結し伸縮する連結部材１１を備えたものも有用である。
【発明の効果】
【００１２】  既に洗濯物干し具に干してある洗濯物の乾き具合や片付け状況にかかわらず、とても簡単に次の洗濯物を干すことができる。
既に乾いた洗濯物が干しっぱなしにされている時、それらを例えば使用者から見て遠い方へ押しやり、遠くにあった空のピンチ４ｅを手前に移動させると新たな洗濯物を干すことができる。本発明ではこの時ピンチ４をレール３から取り外す必要がないので、レール３上をスライドさせてこれらのピンチ４を移動させるだけであり、力も要らずとても楽に手早くできる。
乾いた洗濯物をピンチ４ｄで挟んだままで動かして小さく片寄せ（あるいは中央に集め）、残りの広い部分に移動させた空のピンチ４ｅを使って新たに洗濯物を干す。押しやった洗濯物７ｄは互いに接触していても湿り気の問題がないし、新たな洗濯物７ｗも手前に干せるので畳む時間ができるまで洗濯物を放置できるこれは生乾きの時にも同様で、片寄せる際に緩く片寄せれば次を干すことができる。【００１３】  分岐レール３ｂを設けた場合には全てのピンチ４を常に有効に使う事ができ、そのための操作は簡単である。洗濯物７を干しっぱなしにして必要に応じてピンチ４から取り外して着用した場合、分岐レール３ｂがなければ空のピンチ４ｅが歯抜け状態になって洗濯物７ｄの間に残ってしまう。しかし分岐レール３ｂがあれば空のピンチ４ｅだけを分岐レール３ｂに待避させ、洗濯物を挟持したピンチ４を例えば奥の本体レール３へ全て押しやってから空のピンチ４ｅを手前側本体レール３に集めることにより新たな洗濯物に利用することができる。退避させたピンチ４ｅは他のピンチ４ｆの通過を妨げない。滑らせるだけでピンチ４の付け外しがないので操作も非常に楽である。【００１４】  前記の特徴から洗濯を気軽に始めることができる時間を有効に使える。
既に干した洗濯物のを確認せずに洗濯を初めても干す場所はすぐに確保できる。したがって洗濯が出かける際のネックに鳴る事もない。【００１５】  洗濯物干しっぱなしで生活でき、即ち家事を大幅に合理化できる。
洗濯物を取り込まないままで洗濯物干し具から直接使用し次々と干したり使ったりしながら洗濯物を干しっぱなしにしたまま生活できる。これは、片付け作業を省略したとも言えるし洗濯物干し具に衣類を保管していると解釈する事もできる。
特に一人暮らしなどでは、そもそも、またすぐに使う衣類や下着などは干しっぱなしにしておいた方が合理的である。洗濯物を取り込まずにそのまま使う事は即ち、畳んで収納してまた取り出すといった３工程の作業が全て省略できるという事なのである。
従来はなんとなく悪しき習慣と見られがちであった干しっぱなしも本発明により手抜きではなく合理化として受け入れられるようになり、兼業主婦を始めとする全ての人の手助けとなる。【００１６】  洗濯物を干す時の姿勢が楽である。
本発明の干し具ではピンチ４の位置が自在なため、洗濯物を吊す時、従来の様に人が動き回って干すのではなく同じ位置に立ったまま洗濯物を干す事ができる。最初に手前にピンチ４を集め、干した順に手元から遠ざけていくと効率がよい。あるいは干し上がってから最後に配置を調整してもよい。とにかく人が動くのではなく一カ所に干してからその洗濯物を動かすのでとても楽に干すことができる。【００１７】  干す順序を気にしないで次々干せる。
途中まで干してみてからの洗濯物の配置の変更が簡単なので、洗濯かごの上から順に、干す位置を気にしないでさっさと干せる。洗濯機から洗濯物をカゴに移す時も干す順序を考えて一つずつチェックせず、全体をまとめて移し替えできる。【００１８】  洗濯物干具内の空間を効率よく使える。
使用中の全期間を通じて洗濯物の大きさ、種類に合わせた最適の干し方に簡単に調整可能なので干し具内の空間を無駄なく利用できる。【００１９】  部屋の空間を有効に利用できる。
狭い部屋の中で洗濯もの干し具を使用する場合、かさ高く邪魔に感じる事も多い。しかし本発明の干し具を使用していれば、乾き具合により簡単にコンパクトに一所に洗濯物を寄せる事が可能であるため、洗濯物を片付けなくても干し具全体が邪魔にならず部屋全体の空間を広く利用できる。【００２０】  早く乾かすことができる。
使用中の全期間を通じて簡単な操作で最適の干し方に調整できるので乾き易く干せる。また、乾いた洗濯物を一部取り外した後、残った洗濯物同士の間隔を広げることにより干し時間の短縮を図ることができる。【００２１】  市販の一般的なカーテンレールシステムと似た簡単な基本構造なので製造が用意である。ピンチ４を増やせば干せる量も保管できる量も簡単に増やす事ができる。角ハンガーだけでなく、丸型、半円型、あるいは洗濯竿、クローゼット内などにも応用が可能である。
【図面の簡単な説明】
【００２２】
【図１】  単一周回レール３ｃを設けた実施例１の斜視図  （ａ）すでに乾いた洗濯物７ｄが左及び手前側に吊るしてある状態を示す斜視図。（ｂ）洗濯物７ｄを左方奥に集め、奥にあったピンチ４ｅを右及び手前側に移動させた状態を示す斜視図。（移動は洗濯物７ｄを挟持したままのスライドによる）  （ｃ）濡れた洗濯物７ｗを追加して干した状態を示す斜視図。
【図２】  （ａ）分岐レール３ｂと周回レール３ｃを備える実施例２の斜視図  （ｂ）レール３とピンチ４の形状の一例（断面を含む斜視図）  （ｃ）レール３分岐点の切り取り斜視図  （ｄ）〜（ｆ）では個別のピンチ４を明確にする為ピンチ４は色の名前赤青黄を付けて丸出囲み、さらに洗濯物を挟持しているピンチ４ｆにはシャツを干した状態として表示した。（ｄ）分岐なし周回レール３ｃの模式図  （ｅ）分岐レール３ｂを使ってピンチ４の位置関係を変える手順を示す模式図  当初赤青黄の順序だったもの（ｅ−１）を赤黄青の順序へと変化させた（ｅ−５）経過を順に示した模式図。（ｆ）小さく設けた（分岐）退避レール３ｔの例の模式図。
【図３】  様々なレール３のパターンの模式図（レール３意外は省略）
【図４】  （ａ）レール溝６縁に凹凸を設けた実施例３の側面からの断面図  （ｂ）レール天井面２７に金属板バネ２９を配した実施例３の側面からの断面図  （ｃ）レール天井２７に凹凸を設けた実施例３の側面からの断面図
【図５】  （ａ）レール３のあらゆる方向からランナー５に向けてブラシ構造２が設けられている実施例の切り取り斜視図  （ｂ）レール天井面２７から下方に向けてブラシ構造２が設けられている実施例の切り取り斜視図  （ｃ）レール側面２８からランナー５に向けてブラシ構造２が設けられている実施例の切り取り斜視図  これらは断面を斜視図で表したもので、ブラシ部分は断面部分のみ書き表したもので、書かれていない部分もレール３に沿ってすべて配されている  （ｄ）レール天井面２７とレール溝６縁側の双方からランナー５に向けてブラシ構造２が設けられている実施例の側方からの断面図
【図６】  （ａ）レール側面２８に磁石を取り付けた実施例レール３の側面からの部分斜視図  （ｂ）凹凸と磁石２０を併用した実施例におけるレール３の側面からの断面図  （ｃ）ブラシ構造２と磁石２０を併用した実施例の側面からの断面図
【図７】  （ａ）レール３とピンチ４が係合されたレール正面からの断面図レール溝内ランナーパーツを明示するため黒く着色して表示した。（ｂ）レール３の分岐点におけるレール溝６の形状例模式図  （ｃ）レール３の分岐点におけるレール溝６の形状例模式図
【図８】  二重の周回レール３ｃを備えた実施例６斜視図
【図９】  中間にハンドル１０を設けた実施例６斜視図
【図１０】  実施例７斜視図
【図１１】  （ａ−１）内向き畳みの正面模式図  点線は畳む途中経過を示す。（ａ−２）内向き畳みが完了した状態の正面模式図  （ｂ−１）外向き畳みの正面模式図  点線は畳む途中経過を示す  （ｂ−２）外向き畳みの完了した状態の正面模式図  （ｃ）（ｄ）図ｂ−２の円で囲んだ部分を拡大した断面模式図  点線が外向き畳みの移動後のレール３を表し移動後のピンチ４は薄色で表示している。
【発明を実施するための形態】
【実施例１】
【００２３】  図１にシンプルな周回レール３ｃを備えた洗濯物干し具の斜視図を示す。
乾いた洗濯物７ｄが干されたまで空のピンチ４ｅが主に奥の方に配置された状態（ａ）、乾いた洗濯物７ｄを図の左手奥へ集め空のピンチ４ｅを可能な範囲で手前にスライド周回させた状態（ｂ）、該空ピンチ４ｅに濡れた洗濯物７ｗを干した状態（ｃ）を示した。洗濯物７ｄはピンチ４ｄに挟持されたままスライド移動させる。周回できることによってピンチ４の位置が大きく入れ替わり新しい空間が確保できるため次を追加で干す事ができる。しかし周回レール３ｃの中では、洗濯物７ｄと洗濯物７ｄの間にある空ピンチ４ｅはピンチ４ｄとピンチ４ｄに挟まれた位置関係のまま一緒にスライドするため、手前に移動させて活用する事はできない。【００２４】  これらのレール３の断面は側方または下方が長さ方向に沿って溝状に開放されて（レール溝６と呼ぶ）市販の一般的なカーテンレール様に形成される。ピンチ４はカーテンランナー様に形成された部品（ランナー５と呼ぶ）を有し、レール３上をスライドする。ランナー５の形状は特に限定はなく、レール３内の部分に回転駒を持つもの持たないもの、円柱の軸の向きががレール３長さ方向であるもの、左右に直交するもの、上下にであるものなど、いずれも利用できる。ただし、分岐点を通過する際に溝から離脱しない為の十分な大きさと形状の工夫は必要である（図７）。レール３の溝はここでは下向きであるがいずれを向いていても良い。ただし、ピンチ４の動きをフレーム１やチェーン９が邪魔しない構造でなければならない。
フレーム１やレール３にヒンジ２２を設ける事ができ、折りたたみ式洗濯物干し具にも対応可能である。折り畳んだ際にピンチ４がレール３から離脱しない為にストッパを設けた例を図１１に示した。
洗濯物干し具をヒンジ２２を介して折りたたむ向きは大きく分けてピンチ４のある側に畳む（これを内向き畳みと呼ぶ）（図１１−ａ）場合とピンチ４の無い側に畳む（これを外向き畳みと呼ぶ）（図１１−ｂ）場合の２種類が考えられる。どちらにしても使用時にはレール溝６が継ぎ目で問題なくつながる構造が必要である。レール溝６が下方に開放されている場合、下向き畳みだとピンチ４がレール溝６から離脱しない様にすることは易しい。回転の中心がレール溝６の継ぎ目の角になるようにすれば折りたたみ開閉時にピンチ４が離脱する隙間ができない（図１１−ａ）からである。レール溝６が側方に開放されている場合及び下方に開放されていて外向きに畳む場合はピンチ４がレール溝６から離脱してしまう。使用者が継ぎ目のピンチ４をずらせてから折りたたんでも使えなくはないしレール端２６に手動の蓋を取り付けても良いができればピンチ４離脱防止の為に特別な工夫が必要である。【００２６】  ストッパの一例を図１０−ｃに示した。使用時には邪魔にならないレール天井面２７側にピンチ離脱防止プレート２４を設ける。該プレートはレール天井面２７に仕込まれて一部固定されており、折りたたまれた時にちょうどレール端の蓋すなわちストッパになる位置に取り付けておく。これによりピンチ４が離脱するのを防ぐことができる。
折りたたむ際に該ピンチ離脱防止プレート２４下のレール３継ぎ目２３部分にピンチ４があると折りたたみにくく、さらに該ピンチ４がレール端２６から折り畳み作業中に離脱する恐れが生じるため、さらに工夫を加える。継ぎ目の左右双方のレール溝６の両縁にピンチ誘導坂道２５を設ける（図１１−ｄ）。ピンチ４が自然とその位置から坂の下方に滑り落ちる仕組みである。ピンチ誘導坂道２５の高さはピンチ４がレール３を通過するのに邪魔にならない範囲で急な角度になるように設計する。またピンチ誘導坂道２５とピンチ離脱防止プレート２４はレール３折り畳み回転時にぶつからないよう形状を工夫する。具体的にはピンチ離脱防止プレート２４はレール端２６開口部を完全に塞ぐ必要はなくピンチ４が離脱しない最低限の大きさと形であればよく、一方ピンチ誘導坂道２５はレール溝６の縁に数ミリで構成されうるものなのでピンチ離脱防止プレート２４をピンチ誘導坂道２５を避けて設計すればよい。【００２７】  レール溝６が側方へ開放されている場合も前述同様のピンチ離脱防止プレート２４を有効に設ける事ができる。ただしレール天井面２７側ではなくレール側面２８側に接する形である。内向き畳みの場合は側面２８下方に、外向き畳みの場合は側面２８上方にピンチ離脱防止プレート２４を設置する。ピンチ誘導坂道２５はレール継ぎ目２３の両側のレール溝６自体が其々のレール端２６部に向かって高くなる坂道を形成する事でピンチ４が滞らない形を実現出来る。
図１１ｃ，ｄの点線で描いたレール３は折り畳んだ後の状態であるが、ピンチ離脱防止プレート２４がちょうど蓋となってピンチ４の脱落を防止できるのがわかる。
該折り畳み構造及びヒンジ２２部分の工夫は実施例１に限らず他の実施例においても適用できる。
【実施例２】
【００２８】  図２では分岐レール３ｂを備えた洗濯物干し具を示す。斜視図では裏側が見えないがこの例ではすべてのフレーム１に下部に開口したレール３が設けられているとする。周回レール３ｃと分岐レール３ｂとは互いに連結され、これらのレール３の下方に開口した溝はつながっておりピンチ４に設けられたランナー５が溝をスライドして分岐レール３ｂへと移動できる。レール３上を自由にスライド移動できるので乾いた洗濯物７ｄを奥の方へ押しやり濡れた洗濯物７ｗを手前に干すことができる。空のピンチ４ｅも手前に寄せて有効に使える。【００２９】  分岐レール３ｂの長さは退避させるであろうピンチ４を全て退避させうるように設定すべきではあるが、干し具内の全てのピンチ４を同時に退避させたい状況は滅多とないのでせいぜい１０数個が一度に退避できれば良いであろう。
分岐レール３ｂが設けられた場合にはピンチ４の相対順序が入れ替わる。周回レール３ｃだけの場合は相対順序は変わらない。この相対順序とは３つのピンチ４が例えば時計回りに赤、青、黄の順番で並んで回っていたとしてあるポイントで観測するといくら回っても赤、青、黄、赤、青、黄、となりこの順序は変わらない。これをここでは相対順序とよぶことにする。周回レール３ｃ単独ではこの相対順序は変化しない（図２−ｄ−１）。一方、分岐レール３ｂを用いてピンチ４を待避させることによってこの相対順序は入れ替わる。赤と黄が洗濯物を挟持していて青が空の場合を考える。この青のピンチ４を分岐レール３ｂに待避させた上で黄を赤の方へ移動させその後に青が追いかけると赤、青、黄だったものの順序は赤、黄、青に変わる（図２−ｄ−１〜５）。この空のピンチ４ｅを干し具の片側の空間に集めることにより乾いた洗濯物７ｄは一所に集めて干したままで新しく洗濯物７ｗを干すことができ、ピンチ４が有効に利用できる。
分岐レール３ｂや待避レール３ｔ（図２−ｆ）を設ける事によりピンチ４は互いの相対順序を変えて必要な場所に移動できる。この構造は洗濯物を一部だけ取り込んでピンチ４が虫食い状態に余った状態になった際にも役立つ。洗濯物の下がったピンチ４と空のピンチ４が交互に混ざっていても空のピンチ４ｅだけを干し具の一方に集めて使用できる。実施例１ではこれができない上に、干し方によっては洗濯物の間に空のピンチ４ｅが沢山残され次に干す際にピンチ４が足りない状況になるので洗濯物の種類や干し方を工夫しながら干す必要があったが、実施例２ではあとの事を心配せずに好きに干す事ができる。【００３０】  分岐レール３ｂを設けることによりレール３の形のバリエーションが広がる。レール３のパターン例を図３に示した。図３はレール３のみのパターンを示し、補強の為のフレーム１その他は記載されていない。（図３−ｇ）渦巻き形状のレール３である。分岐レール３ｂとしてスライド移動できるレール３としてデザインもできるが立体交差で分岐なしの周回レール３ｃとして中心部を下げ、空になったピンチ４ｅを集めてそこから外側へピンチ４を移動させると順繰りに使えてしかも面白いデザインとなる。これらの組み合わせや応用で色々な形を考える事が出来る。乾いた洗濯物を下げたピンチ４を片端に寄せるだけでなく中央に寄せる事も有効であり例えば。図３−ｃ、ｅ、ｊなどは洗濯物が乾き次第中心部の周回レール３ｃに集めておくと外側の乾きやすい位置にいつでも洗濯物が干せる。【００３１】  分岐点ではレール溝６が連続してピンチ４が滞りなくスライド可能であるように設計する必要がある。例えば図７−ｂのようなレール溝６の分岐がある場合、レール３幅の大きさを１とすると図中の開口部目安線３２の長さが１．９１となる。分岐点でレール３から脱落しない為には図７−ａの図中でランナー５の黒く着色したレール溝内ランナーパーツ３３はかなり大きめに設計しなくてはならない。また実際のレール溝６は図７−ｂのような鋭角で交差する事が無いよう設計する。場合によっては図７−ｃの様に脱落防止ピン３０を打つなどの工夫も必要である。
【実施例３】
【００３２】  実施例３ではレール３、ランナー５の少なくとも一方にに凹凸（波形）や弁などの制動機構を設け、使用者が意図せぬランナー５の動きを防ぐ。レール３内部のランナー５に接触する部分に摩擦抵抗を高める仕組みを持たせるものを何例が図に示した。
図４−ａはレール溝６の縁に図で示した様な凹凸を設けた実施例を示す。これだけでもランナー５は風などで滑り難い。洗濯物を吊るされたピンチ４のランナー５は下向きの力を受けているので図の凹部におさまりランナー５の部品もレール天井面２７まで届き風などでは動きにくい。しかしピンチ４のランナー５は揺動可能に係合されているため、進行方向に向かって力が加わると狭くなった隙間を横向きにすり抜ける構造である。【００３３】  制動機構としてレール３の複数箇所にバネ突起物を設ける方法も有効である。該突起物はピンチ４の移動を妨げる構造になっているが、ピンチ４に加えられた進行方向への力により該突起物が変形しつつピンチ４を通過させる仕組みである。図４−ｂはレール天井面２７に図で示すような凹凸の板バネ２９をレール３長さ方向に沿って配し、この凹凸をピンチ４がクリック通過する。板バネ２９の素材は限定しないが金属は加工しやすいと思われる。
バネ突起物は金属などの平バネをレール３に一定間隔に取り付けても良いがフレーム１やレール３と同時に金型を用いて樹脂で作ることもできる。図４−ｃはレール天井面２７に凹凸を予め形成する例で、レール溝６の切り欠きがあるためレール３の上下方向（天井面を上としたとき）に弾性が強く動かしやすい。【３４】  さらにランナー５を柔らかい素材でＵ字型や横卵型に成形する方法も簡単である。洗濯物７が干され重さがかかると下向きに引っ張られレール溝６の縁に設けられた凹凸の窪みに納まる。レール溝６縁の凹凸部窪みに沿う形状にたわんで動きにくく、また洗濯物７が吊るされていないピンチ４のランナー５は凹部にはまり込まない為軽く移動できる。
他にレール３を薄い金属板で作りレール溝６に沿って金属板の切り口を折り曲げる際に会えたその折り返し部分を完全に押しつぶさずにところどころ緩く圧迫して結果凹凸に仕上げる方法も可能である。
ランナー５とレール３が歯車のように互いに歯でかみ合い、ランナー５が回転しつつレール３上を移動するしくみも摩擦抵抗が高め制動性を得やすい。
本実施例は後述のブラシ構造２、磁石、などと組み合わせればより効果的である。
【実施例４】
【００３５】  ここでは制動機構としてブラシ構造２を設けた例を示す。
図５に示す様に適度な柔らかさのブラシ構造２を設ける。ブラシ構造２は玩具のモール（針金で繊維を巻き込み起毛状の柔らかい棒にしたもの）を貼りつけて試作すると調度良い制動性であった。
実際にモールを貼付けて試作した例ではブラシ構造２の深さはピンチ４のランナー５部分が半分かくれる程度がよいが、室外用などで風が吹いてもピンチ４が勝手に動かない事が求められる場合にはより深い接触がのぞまれる。これは他の突起の場合も同様で、深さだけでなく突起部の太さや素材でレール３とランナー５間の摩擦抵抗の大きさを加減する。ブラシ構造２の深さも一定ではなく凹凸のある波形モールのように波打たせる事で弱い力で移動させる事ができ、また勝手には動かない形状を実現できる。銀行の窓口などにあるコイン受けに敷かれているような人工芝状樹脂シートと同様な加工を施す事も考えられる。
ブラシ構造２は図５に示す他にも向きや深さ、配置など様々なパターンが考えられる。
また逆にランナー５側にブラシ構造２を付帯させる事によって同様の効果も得られる。【００３６】  ブラシ構造２と似た作用を期待できる素材例としてゴムや樹脂などのブラシ構造２より少し大きめの突起物集合体、布、リボン、ワイヤー、毛糸、瘤付き毛糸、プチプチ、空気の入った袋、不織布、ビーズ、ゴムひも、水の入った袋、などがある。レール３とランナー５の間に適度な摩擦抵抗を発生させるための素材であれば何でも良い。
【実施例５】
【００３７】  実施例５では制動機構として磁石２０を利用する。図６−ａに一例を示した。レール３に磁石２０を取り付け、ランナー５に磁石２０または金属片２１など磁石２０に引き寄せられる性質の素材を取り付けるか、あるいはその逆でもよい。
ランナー５に磁石２０を取り付けるとランナー５同士が引き合ったり退け合ったりする為思い通りに配置しにくいが金属片２１を使う場合はその心配は不要である。
レール３側の磁石の数が少ないとランナー５を自由な場所に移動できるという本来の特徴が発揮されないので間隔は少なくとも３ｃｍ以内にすると実際的である。レール３に金属を配置する場合は必ずしも金属片２１でなくともよい。例えば、レール３に沿った長尺のもので、凹凸などによりランナー５と触れる箇所を一定間隔に限定したり、レール３の方に孔を開けてレール３外側から内側に向けて金属を覗かせたり、レール側面２８から金属板の波形の一部がランナー５の磁石に接触する構造にしたりすると製造のコストも押さえられる。【００３８】  磁石を用いた例では、前述のブラシ素材と比較してレール３の一定位置にランナー５が落ち着き互いに最低限の距離、例えば２ｃｍを保てるといった特徴がある。また、デフォルトの位置に一気にピンチ４を再配置するのにも有効である。例えば凹凸と磁石を併用し、レール天井面２７側に磁石を定間隔で固定しておく。天井面２７までは多少距離があるので普段はレール溝６縁に施された凹凸の任意の位置にピンチ４が配置されている。しかし一度上下を返し揺するなどの行為を行うことによりピンチ４は磁石のある位置に引き付けられた状態になり再び上下を戻すことで定位置に納まる。洗濯物干し具を少し斜めにすると磁石に引き付けられたピンチ４だけが固定されてその位置に残り他は下方に滑っておちるといった仕組みも毎日の作業の上で実用的である。
逆にランナー５に磁石を取り付け、レール３に金属を配置することも可能である。
これら全ての制動装置は単独で用いるだけではなく特徴を利用していくつか組み合わせると効果的である。図６−ｂは凹凸と磁石を、図６−ｃはブラシ構造２と磁石をそれぞれ組み合わせた例である。
【実施例６】
【００３９】  実施例６ではピンチ４を等間隔の配置に瞬時に戻せる仕組みを持たせた。自由にスライドしたランナー５付ピンチ４を簡単な操作で整列させる。ピンチ４間を紐状のもので等間隔につなぎ、カーテンの如くに一方に寄せると間隔が縮まり引くと間隔が広がる。ここではこれを数珠ピンチ１２と呼ぶ。数珠ピンチ１２はつながっているので分岐レール３ｂを備える実施例２のように個々のピンチ４の互いの位置関係を変える事は出来ない。レール３や数珠ピンチ１２はループ状でも良いが、数珠ピンチ１２の両端にマグネットなどを装着し一方をレール３に固定して他方の端を動かす仕組みでも良い。数珠ピンチ１２をつなぐ紐状の連結部材１１は数珠ピンチ１２を縮めた時、素材によっては垂れたり突出した状態となる。これはクリップ絡まりの原因になるのでレール３を深いものにして連結部材１１を隠すか連結部材１１がピンチ４と絡まない向きに突出するよう設計する。連結部材１１は紐状ではなく固い素材で蛇腹式にしてもよい。連結部材１１に使用する素材はバネ性のある樹脂、金属、ゴムなどの伸縮素材、樹脂や金属によりなるバネなどが適しているが、使用目的を満たす物なら何でも良い。バネをレール３内に組みこんでも良い。またピンチ４先端の洗濯物７を挟む位置までの幅広の布を連結部材１１として用いると絡まりを防ぐ事が出来る。また連結部材１１とピンチ４との係合位置をピンチ４先端にしてもよい。【００４０】  応用例として周回レール３ｃを２重か３重にして各レール３に数珠ピンチ１２各１連を配する。洗濯物７が乾いたら数珠ピンチ１２を縮め、空いた部分に、他方の周回レール３ｃの数珠ピンチ１２を使って新たに洗濯物７を干す。図８では２重の周回レール３ｃにそれぞれ数珠ピンチ１２を１連ずつ配し、外側の数珠ピンチ１２は左方に片寄せられ、内側の周回レール３ｃの数珠ピンチ１２が等間隔に配置されている様子を示した。
数珠ピンチ１２の両端を固定し中間にハンドルを設ける事も可能である。図９にこれを示す。これを動かす事により広がる数珠ピンチ１２と縮まる数珠ピンチ１２とを使い分ける。この方式はクローゼットなどに設置するのにも向いている。
【実施例７】
【００４１】  クローゼットなどに一端を固定した便利な洗濯物干し具も本発明で提供できる。クローゼット内部に本体を固定しておく。本体からリール式洗濯ロープを部屋の反対側の壁まで伸ばし予め設置された壁用フック１３にかける。その後本体レール３に掛けられた数珠ハンガー１６をロープに沿って取り出しその端を反対側の壁にある壁用フック１３にかける。洗濯物７が乾いたらまず数珠ハンガー１６をロープに沿ってもどして収納しその後ロープを収納する。従来の洗濯ロープに洗濯物７が掛かったまま外そうとすると重くて大変だが、この方式だと洗濯物７の重さのかなりの部分をロープが支えてくれるので力のない者でも普通に作業を行う事ができる。図５に天井１７に装置を固定した例を示した。いずれの実施例でもピンチ４に変えてハンガーをランナー５に取り付けても使いやすいものができる。クローゼットに洗濯物干し具を設置すると乾いたらそのまま収納することができる。しかもとてもきれいに収納できる。図１０で示した例でも数珠ハンガー１６を一端収納したら向きを９０度変えるだけでクローゼットや洋服ダンス内の普通のハンガーと同じ向きに並べることができ見た目も綺麗に収納できる。
【符号の説明】
【００４２】１．フレーム
２．ブラシ構造
３．レール
３ｃ  周回レール
３ｂ  分岐レール
３ｔ  退避レール
４．ピンチ
４ｅ  空のピンチ
４ｄ  乾いた洗濯物を挟持したピンチ
４ｗ  濡れた洗濯物を挟持したピンチ
４ｆ  洗濯物７を挟持したピンチ
５．ランナー
６．レール溝
７．洗濯物（濡れたものと乾いたものの区別が不要なとき）
７ｄ．乾いた洗濯物
７ｗ．濡れた洗濯物
８．フック
９．チェーンまたはワイヤー
１０．ハンドル
１１．連結部材
１２．数珠ピンチ
１３．壁用フック
１４．支柱
１５．ロープ用リール
１６．数珠ハンガー
１７．天井
１８．ロープ
１９．凹み
２０．磁石
２１．金属片
２２．ヒンジ
２２ａ  ヒンジの回転中心
２３．レール継ぎ目
２４．離脱防止プレート
２５．ピンチ誘導坂道
２６．レール端部
２７．レール天井面（開放部から見た底を指し、実際には側方に位置する場合もこう呼ぶ）
２８．レール側面
２９．板バネ
３０．脱落防止ピン
３１．補助線
３２．開口部目安線
３３．レール溝内ランナーパーツ
【図１】
2011139879.tif 000003
【図２】
2011139879.tif 000004
【図３】
2011139879.tif 000005
【図４】
2011139879.tif 000006
【図５】
2011139879.tif 000007
【図６】
2011139879.tif 000008
【図７】
2011139879.tif 000009
【図８】
2011139879.tif 000010
【図９】
2011139879.tif 000011
【図１０】
2011139879.tif 000012
【図１１】
2011139879.tif 000013